(57)【要約】【課題】  複合機のメンテナンス等の機器に対する作業を支援する動画を、使用者が登録した後、更新、管理ができるシステムを提供する。【解決手段】  メンテナンス作業の対象となる機器に事前に登録されたメンテナンス動画に関連付けてユーザ登録動画を登録し、該ユーザ登録動画に対して再生表示するための管理情報を設定、登録し、メンテナンス動画が再生表示される時に該管理情報に従ってユーザ登録動画を再生表示する。【選択図】図４
2016092550.tif 000002
【特許請求の範囲】
【請求項１】
機器に対する作業を支援する第１の動画が登録され、該第１の動画を再生表示する情報処理装置であって、
前記第１の動画に関連付けられた第２の動画を動画記憶手段に記憶させる動画登録手段と、
前記第２の動画に対して、再生表示管理情報を動画情報記憶手段に記憶させる再生表示管理情報登録手段と、
前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御手段と、
を備えることを特徴とする情報処理装置。
【請求項２】
前記再生表示管理情報は、使用者に対する前記第２の動画の割り当てを表す情報であって、
前記再生表示制御手段は、前記再生表示管理情報にて割り当てられた使用者に対してのみ前記第２の動画を再生表示することを特徴とする請求項１に記載の情報処理装置。
【請求項３】
前記再生表示管理情報は、前記第２の動画を必須表示するかどうかを表す情報であって、
前記再生表示制御手段は、前記再生表示管理情報にて必須表示すると設定された前記第２の動画については必ず再生表示し、必須表示すると設定されていない前記第２の動画については、使用者に対して確認要求を出し、所定の操作を受け付けると再生表示することを特徴とする請求項１または２に記載の情報処理装置。
【請求項４】
前記再生表示管理情報は、前記第２の動画が前記機器に対する作業の付随作業に関する動画であることを表す情報であって、
前記再生表示制御手段は、前記再生表示管理情報にて前記機器に対する作業の付随作業に関する動画であると設定された前記第２の動画については、使用者に対して確認要求を出し、所定の操作を受け付けると再生表示することを特徴とする請求項１または２に記載の情報処理装置。
【請求項５】
前記再生表示管理情報は、前記第１の動画と前記第２の動画とを切り替えることを表す情報であって、
前記再生表示制御手段は、前記再生表示管理情報にて前記第１の動画と切り替えると設定された前記第２の動画については、前記第１の動画に代えて再生表示することを特徴とする請求項１または２に記載の情報処理装置。
【請求項６】
前記第２の動画に対して、評価指標を前記動画情報記憶手段に記憶させる評価指標登録手段を備え、
前記評価指標が所定の値を超える第２の動画のうちの一つに対し、前記再生表示管理情報において前記第１の動画と前記第２の動画とを切り替えることを設定する動画切替設定手段と、
を備えることを特徴とする請求項５に記載の情報処理装置。
【請求項７】
前記動画切替設定手段は、前記評価指標が所定の値を超える第２の動画を提示して選択を受け付け、該選択を受け付けられた第２の動画に対して、前記再生表示管理情報において前記第１の動画と前記第２の動画とを切り替えることを設定することを特徴とする請求項６に記載の情報処理装置。
【請求項８】
前記動画切替設定手段は、前記評価指標が所定の値を超える第２の動画のうち、前記評価指標が最良の値となる第２の動画に対して、前記再生表示管理情報において前記第１の動画と前記第２の動画とを切り替えることを設定することを特徴とする請求項６に記載の情報処理装置。
【請求項９】
機器に対する作業を支援する第１の動画が登録され、該第１の動画を再生表示する情報処理装置の制御方法であって、
動画登録手段が、前記第１の動画に関連付けられた第２の動画を動画記憶手段に記憶させる動画登録ステップと、
再生表示管理情報登録手段が、前記第２の動画に対して、再生表示管理情報を動画情報記憶手段に記憶させる再生表示管理情報登録ステップと、
再生表示制御手段が、前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御ステップと、
を備えることを特徴とする情報処理装置の制御方法。
【請求項１０】
機器に対する作業を支援する第１の動画が登録され、該第１の動画を再生表示する情報処理装置において動作するプログラムであって、
前記情報処理装置を、
前記第１の動画に関連付けられた第２の動画を動画記憶手段に記憶させる動画登録手段と、
前記第２の動画に対して、再生表示管理情報を動画情報記憶手段に記憶させる再生表示管理情報登録手段と、
前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御手段と、
として機能させることを特徴とするプログラム。
【発明の詳細な説明】
【技術分野】
【０００１】
本発明は、複合機のメンテナンス等の機器に対する作業を支援する動画を登録、更新、管理する技術に関する。
【背景技術】
【０００２】
近年複合機の機能は多様化しており、複合機のメンテナンスやエラー解除を行う場合に、その方法を動画で説明する機能（以降、「メンテナンス動画機能」と略す）がある。このメンテナンス動画機能により、複合機の使用者は手番を間違えることなくメンテナンスやエラー解除を行うことが可能となる。
【０００３】
しかし、導入時にメーカ側から提供されたメンテナンス動画は最新のものではなく、導入後新たに発見された知見、ノウハウ等は反映されていない。
【０００４】
また、メーカ側から提供された画一的なメンテナンス動画では、非常に分かりづらい内容となっている可能性もある。
【０００５】
そこで、複合機の使用者がエラーの内容を知る手段として特許文献１では、故障箇所をサーバに送信しサーバ側にて自動で故障判断を行う方法が開示されている。
【０００６】
また、複合機の使用者が最新のメンテナンス手法やエラー解除の方法を知る手段として特許文献２では、Web上にて更新された動画マニュアルを閲覧する方法がある。
【先行技術文献】
【特許文献】
【０００７】
【特許文献１】特開２００３−１６２４２９号公報
【特許文献２】特開２００３−２７４３７８号公報
【発明の概要】
【発明が解決しようとする課題】
【０００８】
しかしながら特許文献１の方法では、故障箇所が分かるのみでそこからのエラー解除方法が分からない。
【０００９】
また特許文献２の方法では、複合機の新たなメンテナンス手法やエラー解除手法を使用者が発見したとしても、動画を追加、更新することはできない。
【００１０】
そこで本発明では、複合機のメンテナンス等の機器に対する作業を支援する動画を、使用者が登録した後、更新、管理ができるシステムを提供することを目的とする。
【課題を解決するための手段】
【００１１】
本発明の情報処理装置は、機器に対する作業を支援する第１の動画が登録され、該第１の動画を再生表示する情報処理装置であって、前記第１の動画に関連付けられた第２の動画を動画記憶手段に記憶させる動画登録手段と、前記第２の動画に対して、再生表示管理情報を動画情報記憶手段に記憶させる再生表示管理情報登録手段と、前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御手段と、を備えることを特徴とする。
【００１２】
また、本発明の制御方法は、機器に対する作業を支援する第１の動画が登録され、該第１の動画を再生表示する情報処理装置の制御方法であって、動画登録手段が、前記第１の動画に関連付けられた第２の動画を動画記憶手段に記憶させる動画登録ステップと、再生表示管理情報登録手段が、前記第２の動画に対して、再生表示管理情報を動画情報記憶手段に記憶させる再生表示管理情報登録ステップと、再生表示制御手段が、前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御ステップと、を備えることを特徴とする。
【００１３】
また、本発明のプログラムは、機器に対する作業を支援する第１の動画が登録され、該第１の動画を再生表示する情報処理装置において動作するプログラムであって、前記情報処理装置を、前記第１の動画に関連付けられた第２の動画を動画記憶手段に記憶させる動画登録手段と、前記第２の動画に対して、再生表示管理情報を動画情報記憶手段に記憶させる再生表示管理情報登録手段と、前記第１の動画を再生表示する時に、前記第１の動画に関連付けられた前記第２の動画に対して前記動画情報記憶手段に記憶された前記再生表示管理情報に従って、前記第１の動画に関連付けられた前記第２の動画を再生表示する再生表示制御手段と、として機能させることを特徴とするプログラム。
【発明の効果】
【００１４】
本発明によれば、複合機のメンテナンス等の機器に対する作業を支援する動画を、使用者が登録した後、更新、管理することが可能となる。
【図面の簡単な説明】
【００１５】
【図１】本発明の実施形態に係る動画表示システムの構成の一例を示すシステム構成図である。
【図２】本発明の実施形態に係る動画表示システムにおける、複合機のハードウェア構成を示すブロック図である。
【図３】本発明の実施形態に係る動画表示システムにおける、サーバのハードウェア構成を示すブロック図である。
【図４】本発明の実施形態に係る動画表示システムにおける、複合機の機能ブロック図である。
【図５】本発明の実施形態に係る動画表示システムにおける、メンテナンス動画再生処理の一例を示すフローチャートである。
【図６】本発明の実施形態に係る動画表示システムにおける、ユーザ登録動画配信処理の一例を示すフローチャートである。
【図７】本発明の実施形態に係る動画表示システムにおける、ユーザ登録動画選択処理の一例を示すフローチャートである。
【図８】本発明の実施形態に係る動画表示システムにおける、メンテナンス動画／ユーザ登録動画再生処理の一例を示すフローチャートである。
【図９】本発明の実施形態に係る動画表示システムにおける、ユーザ登録動画登録処理の一例を示すフローチャートである。
【図１０】本発明の実施形態に係る動画表示システムにおける、ユーザ登録動画再生開始時間設定処理の一例を示すフローチャートである。
【図１１】本発明の実施形態に係る動画表示システムにおける、ユーザ登録動画選択処理の一例を示すフローチャートである。
【図１２】本発明の実施形態に係る動画表示システムにおける、ユーザ登録動画選択編集処理の一例を示すフローチャートである。
【図１３】本発明の実施形態に係る動画表示システムにおける、ユーザ登録動画リスト配信処理の一例を示すフローチャートである。
【図１４】本発明の実施形態に係る動画表示システムにおける、メンテナンス動画再生処理の一例を示すフローチャートである。
【図１５】本発明の実施形態に係る動画表示システムにおける、ユーザ登録動画再生処理の一例を示すフローチャートである。
【図１６】本発明の実施形態に係る動画表示システムにおける、ユーザ登録動画必須設定編集処理の一例を示すフローチャートである。
【図１７】本発明の実施形態に係る動画表示システムにおける、メンテナンス動画／ユーザ登録動画再生処理の一例を示すフローチャートである。
【図１８】本発明の実施形態に係る動画表示システムにおける、ユーザ登録動画登録処理の一例を示すフローチャートである。
【図１９】本発明の実施形態に係る動画表示システムにおける、ユーザ登録動画吹き出し設定処理の一例を示すフローチャートである。
【図２０】本発明の実施形態に係る動画表示システムにおける、メンテナンス動画／ユーザ登録動画再生処理の一例を示すフローチャートである。
【図２１】本発明の実施形態に係る動画表示システムにおける、ユーザ登録動画清掃設定編集処理の一例を示すフローチャートである。
【図２２】本発明の実施形態に係る動画表示システムにおける、メンテナンス動画・ユーザ登録動画切替設定処理の一例を示すフローチャートである。
【図２３】本発明の実施形態に係る動画表示システムにおける、ユーザ登録動画エラー解除数更新処理の一例を示すフローチャートである。
【図２４】本発明の実施形態に係る動画表示システムにおける、切替候補ユーザ登録動画一覧取得処理の一例を示すフローチャートである。
【図２５】本発明の実施形態に係る動画表示システムにおける、切替候補ユーザ登録動画取得処理の一例を示すフローチャートである。
【図２６】本発明の実施形態に係る動画表示システムにおける、メンテナンス動画・ユーザ登録動画自動切替設定処理の一例を示すフローチャートである。
【図２７】本発明の実施形態に係る動画表示システムにおける、メンテナンス動画再生画面の一例を示す画面イメージである。
【図２８】本発明の実施形態に係る動画表示システムにおける、ユーザ登録動画使用設定画面の一例を示す画面イメージである。
【図２９】本発明の実施形態に係る動画表示システムにおける、ユーザ登録動画選択画面の一例を示す画面イメージである。
【図３０】本発明の実施形態に係る動画表示システムにおける、ユーザ登録動画登録画面の一例を示す画面イメージである。
【図３１】本発明の実施形態に係る動画表示システムにおける、ユーザ登録動画再生開始時間設定処理のメッセージ表示の一例を示す画面イメージである。
【図３２】本発明の実施形態に係る動画表示システムにおける、ユーザ登録動画再生開始時間設定画面の一例を示す画面イメージである。
【図３３】本発明の実施形態に係る動画表示システムにおける、ユーザ登録動画選択設定画面の一例を示す画面イメージである。
【図３４】本発明の実施形態に係る動画表示システムにおける、ユーザ登録動画必須設定画面の一例を示す画面イメージである。
【図３５】本発明の実施形態に係る動画表示システムにおける、必須ユーザ登録動画全画面表示の一例を示す画面イメージである。
【図３６】本発明の実施形態に係る動画表示システムにおける、ユーザ登録動画吹き出し表示の一例を示す画面イメージである。
【図３７】本発明の実施形態に係る動画表示システムにおける、ユーザ登録動画吹き出し表示登録画面の一例を示す画面イメージである。
【図３８】本発明の実施形態に係る動画表示システムにおける、ユーザ登録動画吹き出し表示登録画面の一例を示す画面イメージである。
【図３９】本発明の実施形態に係る動画表示システムにおける、ユーザ登録動画吹き出し表示登録画面の一例を示す画面イメージである。
【図４０】本発明の実施形態に係る動画表示システムにおける、ユーザ登録動画吹き出し表示登録画面の一例を示す画面イメージである。
【図４１】本発明の実施形態に係る動画表示システムにおける、清掃動画表示確認画面の一例を示す画面イメージである。
【図４２】本発明の実施形態に係る動画表示システムにおける、ユーザ登録動画清掃設定画面の一例を示す画面イメージである。
【図４３】本発明の実施形態に係る動画表示システムにおける、ユーザ登録動画清掃設定画面の一例を示す画面イメージである。
【図４４】本発明の実施形態に係る動画表示システムにおける、切替ユーザ登録動画選択設定画面の一例を示す画面イメージである。
【図４５】本発明の実施形態に係る動画表示システムにおける、切替ユーザ登録動画通知画面の一例を示す画面イメージである。
【図４６】本発明の実施形態に係る動画表示システムにおける、切替ユーザ登録動画規定数設定画面の一例を示す画面イメージである。
【図４７】本発明の実施形態に係る動画表示システムにおける、ユーザ登録動画管理テーブルの一例を示すデータ構成図である。
【図４８】本発明の実施形態に係る動画表示システムにおける、ユーザ登録動画使用決定テーブルの一例を示すデータ構成図である。
【図４９】本発明の実施形態に係る動画表示システムにおける、ユーザ登録動画管理テーブルの一例を示すデータ構成図である。
【図５０】本発明の実施形態に係る動画表示システムにおける、ユーザ登録動画管理テーブルの一例を示すデータ構成図である。
【図５１】本発明の実施形態に係る動画表示システムにおける、ユーザ登録動画管理テーブルの一例を示すデータ構成図である。
【図５２】本発明の実施形態に係る動画表示システムにおける、ユーザ登録動画管理テーブルの一例を示すデータ構成図である。
【発明を実施するための形態】
【００１６】
以下、図面を参照して、本発明の実施形態を詳細に説明する。
【００１７】
図１は本発明における動画表示システムのシステム構成の一例を示すシステム構成図である。
【００１８】
図１に示すように、本実施形態の動画表示システムは、１又は複数の複合機１００、１又は複数のサーバ２００がローカルエリアネットワーク（ＬＡＮ）１５０を介して接続され、情報の送受信を行う構成となっている。
【００１９】
複合機１００は、メンテナンスやエラー解除の作業の対象となる機器であり、ディスプレイを備え、作業を支援するための動画を表示することができるようになっている。
【００２０】
サーバ２００は、複合機からユーザにより登録された作業を支援するための動画を受け付け、データベースに蓄積し、複合機から要求があれば、該動画を配信できるようになっている。
【００２１】
次に、図２を参照して、図１の複合機１００のハードウェア構成の一例を説明する。
【００２２】
複合機１００は、大略的に、操作部１０８、プリンタ部１１２、カメラ１１５、コントローラユニット１１６及びディスプレイ１１９によって構成されている。
【００２３】
複合機１００の全体的な制御を行うコントローラユニット１１６は、ＣＰＵ１０１、ＲＡＭ１０２、ＲＯＭ１０３、ＨＤＤ１０４、ＮｅｔｗｏｒｋＩ／Ｆ１０５、外部Ｉ／Ｆ１０６、操作部Ｉ／Ｆ１０８、ＲＩＰ１１０、プリンタＩ／Ｆ１１１、画像処理部１２２及び外部Ｉ／Ｆ１１７を備える。
【００２４】
ＣＰＵ１０１は、ＲＯＭ１０３に格納された制御プログラムを読み出し、複合機１００で実行される読取制御や、画像形成制御、送信制御等の制御を行う。
【００２５】
ＲＡＭ１０２は、ＣＰＵ１０１の主メモリ、ワークエリア等の一時記憶領域として用いられる。
【００２６】
ＨＤＤ１０４は、画像データ、動画データ、各種のプログラム、各種の情報テーブル、各種の設定情報を記憶する。
【００２７】
ＮｅｔｗｏｒｋＩ／Ｆ１０５は、有線または無線ＬＡＮ１５０を介して、外部装置への画像データ、動画データ、情報の送信と、外部装置からの各種の情報（データ）の受信とを行う。
【００２８】
操作部Ｉ／Ｆ１０７は、操作部１０８とのインタフェース部である。また、操作部Ｉ／Ｆ１０７は、操作部１０８から入力した情報をＣＰＵ１０１に伝える役割をする。
【００２９】
ＲＩＰ１１０は、外部装置から送信された情報をビットマップの画像情報に変換を行い、プリンタＩ／Ｆ１１１を介して、プリンタ部１１２に送信する。
【００３０】
画像処理部１２２は、カメラ１１５等で生成された画像データの変形、縮小、拡大等の加工を行う。
【００３１】
カメラ１１５で生成した画像データは、外部Ｉ／Ｆ１１７を介して取得する。
【００３２】
操作部１０８は、ユーザの操作を受け付けて、ワイプ使用設定、再生設定、ワイプ表示設定等の各種設定を行うと、操作部Ｉ／Ｆ１０７を介してコントローラユニット１１６に転送し、ＲＡＭ１０２または、ＨＤＤ１０４に設定した値を保存する。
【００３３】
プリンタ部１１２は、コントローラユニット１１６から転送された印刷画像データをシート（用紙）等の記憶媒体への印刷を行う。
【００３４】
カメラ１１５は、撮影した画像データや、動画データを外部Ｉ／Ｆ１１７を介してコントロールユニット１１６に転送し、ＲＡＭ１０２または、ＨＤＤ１０４に画像データや、動画データを保存する。
【００３５】
ディスプレイ１１９は、コントローラユニット１１６から外部Ｉ／Ｆ１０６を介して転送された制御情報に従い、表示する内容を更新する。
【００３６】
Ｉｍａｇｅ  ＢＵＳ  Ｉ／Ｆ１２０は、画像データを変換し高速で転送する。
【００３７】
次に、図３を参照して、図１のサーバ２００のハードウェア構成の一例を説明する。
【００３８】
サーバ２００は、大略的に、操作部２０８、コントローラユニット２１６及びディスプレイ２１９によって構成されている。
【００３９】
サーバ２００の全体的な制御を行うコントローラユニット２１６は、ＣＰＵ２０１、ＲＡＭ２０２、ＲＯＭ２０３、ＨＤＤ２０４、ＮｅｔｗｏｒｋＩ／Ｆ２０５、ＩｍａｇｅＢＵＳ  Ｉ／Ｆ２０６、操作部Ｉ／Ｆ２０７、外部Ｉ／Ｆ２０８を備える。
【００４０】
ＣＰＵ２０１は、ＲＯＭ２０３に格納された制御プログラムを読み出し、サーバ２００で実行されるプログラム実行制御、送受信制御等の制御を行う。
【００４１】
ＲＡＭ２０２は、ＣＰＵ２０１の主メモリ、ワークエリア等の一時記憶領域として用いられる。
【００４２】
ＨＤＤ２０４は、画像データ、動画データ、各種のプログラム、各種の情報テーブル、各種の設定情報を記憶する。
【００４３】
ＮｅｔｗｏｒｋＩ／Ｆ２０５は、有線または無線ＬＡＮ１５０を介して、外部装置への画像データ、動画データ、情報の送信と、外部装置からの各種の情報（データ）の受信とを行う。
【００４４】
操作部Ｉ／Ｆ２０７は、操作部２０８とのインタフェース部である。また、操作部Ｉ／Ｆ２０７は、操作部２０８から入力した情報をＣＰＵ２０１に伝える役割をする。
【００４５】
ディスプレイ２１９は、コントローラユニット２１６から外部Ｉ／Ｆ２０８を介して転送された制御情報に従い、表示する内容を更新する。
【００４６】
図４は、本発明における動画表示システムの複合機１００の機能構成図である。
【００４７】
図４に示される各部の機能は、複合機１００のＣＰＵ１０１が、ＲＯＭ１０３または、ＨＤＤ１０４に格納された制御プログラムを読み出して実行することにより実現される。
【００４８】
次に図４を参照して、メンテナンス動画関連の基本動作について説明する。
【００４９】
メンテナンス動画とは、複合機で発生した障害を復旧するためのメンテナンス手順を示す情報を表示する画面である。
【００５０】
複合機１００は、画面管理部４０１と、デバイス管理部４０５と、動画管理部４０９を備える。
【００５１】
画面管理部４０１は、画面表示処理を制御する。画面管理部４０１は、画面表示部４０２と、画面制御部４０３と、イベント制御部４０４を備える。
【００５２】
画面表示部４０２は、ディスプレイ１１９に表示する画面を生成して、ディスプレイ１１９に表示する。また、動画管理部４０９が再生するメンテナンス動画を、ディスプレイ１１９に表示する。すなわち、画面管理部４０１および動画管理部４０９は、メンテナンス作業を支援する動画をディスプレイ１１９に表示する。
【００５３】
画面制御部４０３は、イベント制御部４０４から通知されるイベント情報を受け取り、受け取ったイベント情報を基づいて、どの画面を最前面に切り替えるかを判断する。
【００５４】
イベント制御部４０４は、デバイス管理部４０５から通知されるデバイス状況イベントを受信する。デバイス状況イベントをイベント情報として画面制御部４０３や、動画管理部４０９に通知する。さらに、イベント制御部４０４は、複合機で発生した画面に関わるイベントを統括的に管理し、画面制御部４０３や、動画管理部４０９に通知する。
【００５５】
デバイス管理部４０５は、複合機の状況を管理する。デバイス管理部４０５は、ジョブ管理部４０６と、ジャム検知部４０７と、消耗品管理部４０８を備える。
【００５６】
ジョブ管理部４０６は、現在処理中であるジョブの開始時刻、ジョブタイプ、文書名、枚数、部数、ステイプル有無などのジョブの設定等のジョブ情報を、ＲＡＭ１０２もしくは、ＨＤＤ１０４に保存する。ジョブ管理部４０６は、必要に応じてジョブ情報をイベント制御部４０４に通知する。
【００５７】
ジャム検知部４０７と消耗品管理部４０８は、例えば、ジャムや、消耗品の残量が所定量以下になった際、ジャム検知部４０７によってジャムが検知すること、消耗品管理部４０８によって消耗品の残量が所定量以下となったことが検知された場合に、検知された情報をイベント情報としてイベント制御部４０４に通知する。
【００５８】
動画管理部４０９は、画面表示部４０２が表示する画面上で再生される動画を管理する。動画管理部４０９は、動画制御部４１０と、動画データ管理部４１１を備える。動画制御部４１０は、動画データの再生、一時停止、終了などの制御を行う。動画制御部４１０は、イベント制御部４０４から受信したイベント情報に基づき、再生する動画データを決定して、必要に応じた動画データを動画データ管理部４１１から取得する。
【００５９】
動画データ管理部４１１は、動画データをＲＡＭ１０２もしくはＨＤＤ１０４に保存し、管理する。
【００６０】
［第１の実施形態］                                        
【００６１】
図を参照して、本システムの第１の実施形態の処理フローについて説明する。
【００６２】
図５は第１の実施形態によるメンテナンス動画再生処理の処理フローの一例である。
【００６３】
本処理は、複合機１００側の処理は、ＲＯＭ１０３またはＨＤＤ１０４に格納されたプログラムをＣＰＵ１０１が実行する。また、サーバ側の処理はＲＯＭ２０３またはＨＤＤ２０４に格納されたプログラムをＣＰＵ２０１が実行する。
【００６４】
ステップＳ５０１では、複合機１００にエラーが発生した場合に、そのエラー内容に基づき、ＨＤＤ１０４に保持しているメンテナンス動画の再生処理を開始する。
【００６５】
ステップＳ５０２では、ユーザ登録動画使用設定を取得する。ユーザ登録動画使用設定は、図２８に示すユーザ登録動画使用設定画面から設定し、設定内容をＲＡＭ１０２もしくはＨＤＤ１０４に保持している。
【００６６】
図２８に示すユーザ登録動画使用設定画面では、ユーザ登録動画使用可否は複合機使用者が、非表示ボタン２８００にて不使用、表示ボタン２８０１にて使用を設定する。
図５のフローの説明に戻る。
【００６７】
ステップＳ５０３では、ステップＳ５０２で読み込んだユーザ登録動画使用設定の設定内容からユーザ登録動画を使用するか否かを判定する。使用すると判定された場合は処理をステップＳ５０４に移す。使用しないと判定された場合は処理をステップＳ５０９に移す。
【００６８】
ステップＳ５０４では、複合機１００からサーバ２００に対して、ユーザ登録動画の配信要求を送信する。
【００６９】
ステップＳ５０５では、複合機１００からの要求を受けて、サーバ２００にて後述するユーザ登録動画配信処理を実行し、複合機１００に要求されたユーザ登録動画を送信する。
【００７０】
ステップＳ５０６では、複合機１００にて、サーバ２００から送信されたユーザ登録動画を受信する。
【００７１】
ステップＳ５０７では、ステップＳ５０６にて受信したユーザ登録動画が存在するかどうかを判定する。存在する場合はステップＳ５０８に処理を移し、存在しない場合にはステップＳ５１０に処理を移す。
【００７２】
ステップＳ５０８では、後述するユーザ登録動画選択処理を実行し、再生するユーザ登録動画を選択する。
【００７３】
ステップＳ５０９では、後述するメンテナンス動画／ユーザ登録動画再生処理を実行する。
【００７４】
ステップＳ５１０では、メンテナンス動画再生を終了する。
以上でメンテナンス動画再生処理を終了する。
【００７５】
図６を参照して、ユーザ登録動画配信処理について説明する。
【００７６】
本処理は、サーバ２００側にて、ＲＯＭ２０３またはＨＤＤ２０４に格納されたプログラムをＣＰＵ２０２が実行する。
【００７７】
ステップＳ６０１では、複合機１００から送信された配信対象動画情報を受信する。配信対象動画情報には、メンテナンス動画の種類を表すメンテナンス動画ＩＤが含まれている。
【００７８】
ステップＳ６０２では、受信した配信対象動画情報をもとに、、ＲＡＭ２０２またはＨＤＤ２０４に格納されたユーザ登録動画の中から、対応するユーザ登録動画を検索する。
【００７９】
ステップＳ６０３では、検索されたユーザ登録動画を複合機１００に送信する。
以上でユーザ登録動画配信処理を終了する。
【００８０】
図７を参照して、ユーザ登録動画選択処理について説明する。
【００８１】
本処理は、複合機１００側にて、ＲＯＭ１０３またはＨＤＤ１０４に格納されたプログラムをＣＰＵ１０１が実行する。
【００８２】
ステップＳ７０１では、ユーザ登録動画選択設定を取得する。ユーザ登録動画選択設定は、図２８に示すユーザ登録動画使用設定画面から設定し、設定内容をＲＡＭ１０２もしくはＨＤＤ１０４に保持している。
【００８３】
図２８に示すユーザ登録動画使用設定画面では、複合機使用者が表示ボタン２８０１を選択した後、ユーザ登録動画選択方法として、自動選択ボタン２８０２にて自動選択、ユーザ選択ボタン２８０６にてユーザ選択を設定する。また、自動選択ボタン２８０２を使用者が選択した場合、動画数設定欄２８０３に設定した数分のユーザ登録動画をワイプ表示する設定となる。動画数設定欄２８０３の設定数は、＋ボタン２８０４で増加、−ボタン２８０５で減少させることができる。また、動画数設定欄２８０３は直接編集も可能である。
図７のフローの説明に戻る。
【００８４】
ステップＳ７０２では、ユーザ登録動画選択方法が自動選択か、ユーザ選択かを判定する。自動選択の場合は処理をステップＳ７０３に移し、ユーザ選択の場合は処理をステップＳ７０６に移す。
【００８５】
ステップＳ７０３では、使用者による動画数設定があるかどうかを判定する。動画数設定がある場合は処理をステップＳ７０４に移し、動画数設定がない場合は処理をステップＳ７０５に移す。
【００８６】
ステップＳ７０４では、設定された動画数分、ユーザ登録動画登録日時の新しいものからユーザ登録動画を選択する。
【００８７】
ステップＳ７０５では、予めＲＡＭ１０２またはＨＤＤ１０４に初期値として設定されている動画数の規定数分、ユーザ登録動画登録日時の新しいものからユーザ登録動画を選択する。
【００８８】
ステップＳ７０６では、ユーザ登録動画選択画面を表示し、使用者に再生表示するユーザ登録動画を選択させる。
【００８９】
図２９にユーザ登録動画選択画面の一例を示す。ユーザ登録動画一覧２９００にはサーバ２００から受信したユーザ登録動画の一覧が表示される。選択チェック２９０１をチェックすることにより使用者が再生表示するユーザ登録動画を選択する。保存ボタン２９０２にて選択内容を確定し保存する。
図７のフローの説明に戻る。
【００９０】
ステップＳ７０７では、ユーザ登録動画選択画面にて使用者に再生表示するユーザ登録動画を選択させる。
【００９１】
ステップＳ７０８では、ユーザ登録動画選択画面にて使用者が再生表示すると設定したユーザ登録動画を選択結果として取得する。
以上でユーザ登録動画選択処理を終了する。
【００９２】
図８を参照して、メンテナンス動画／ユーザ登録動画再生処理について説明する。
【００９３】
本処理は、複合機１００側にて、ＲＯＭ１０３またはＨＤＤ１０４に格納されたプログラムをＣＰＵ１０１が実行する。
【００９４】
ステップＳ８０１では、ユーザ登録動画再生設定を取得する。ユーザ登録動画再生設定は、図２８に示すユーザ登録動画使用設定画面から設定し、設定内容をＲＡＭ１０２もしくはＨＤＤ１０４に保持している。
【００９５】
図２８に示すユーザ登録動画使用設定画面では、ユーザ登録動画再生設定は複合機使用者が、チャプター開始時２８０９、または、注意喚起時２８１０を選択する。本実施例におけるチャプター開始時とはメンテナンス動画を構成する１動画ファイルの再生開始時とする。注意喚起時とは、使用者が設定したユーザ登録動画再生開始時間であり、図４７に示すユーザ登録動画管理テーブルのユーザ登録動画再生開始時間４７０２に格納されている。チャプター開始時２８０９が選択された場合には、ユーザ登録動画は対応するメンテナンス動画が開始と同時に、注意喚起時２８１０が選択された場合には、ユーザ登録動画は事前に設定されたユーザ登録動画再生開始時間に従って再生が開始される。
図８のフローの説明に戻る。
【００９６】
ステップＳ８０２からステップＳ８０８まで、対象となる各メンテナンス動画に対して処理を繰り返し実行する。
【００９７】
ステップＳ８０３では、メンテナンス動画の再生を開始する。メンテナンス動画再生機能は、メーカにて複合機の出荷・導入時から装備されているものであり、複合機１００の標準機能である。
【００９８】
図２７にメンテナンス動画再生画面の一例を示す。複合機１００のディスプレイ１１９にメンテナンス動画再生画面２７００が表示される。
図８のフローの説明に戻る。
【００９９】
ステップＳ８０４では、前記メンテナンス動画に対応したユーザ登録動画が存在するかどうか判定する。判定対象となるユーザ登録動画は、図７のユーザ登録動画選択処理により選択されたものである。存在する場合は処理をステップＳ８０５に移す。存在しない場合は処理をステップＳ８０７に移す。
【０１００】
ステップＳ８０５では、ユーザ登録動画再生設定が、チャプター開始時か、注意喚起時かに従い、それぞれの再生開始時点に到達したかどうかを判定する。チャプター開始時であれば、メンテナンス動画の再生が開始されているので即時に開始し、注意喚起時であれば、使用者が設定したユーザ登録動画再生開始時間が経過後、再生を開始する。到達した場合は処理をステップＳ８０６に移し、到達していない場合は到達するまで待つ。
【０１０１】
ステップＳ８０６では、ユーザ登録動画をワイプ画面にて再生する。ワイプ画面とは、表示画面の一部に表示される表示枠であり、メンテナンス動画の表示内容を妨げない範囲で表示される。本実施例では、ユーザ登録動画の再生中は、メンテナンス動画の再生を一時停止させているが、メンテナンス動画を並行して再生してもよい。
【０１０２】
ステップＳ８０７では、複合機１００のステータスから、障害が残っているかどうかを判定する。障害が残っている場合はステップＳ７０２に戻って次のメンテナンス動画について処理を繰り返し、障害が残っていない場合はメンテナンス動画に対する繰り返し処理から抜ける。
【０１０３】
以上でメンテナンス動画／ユーザ登録動画再生処理を終了する。
【０１０４】
次に、図９を参照して、ユーザ登録動画登録処理について説明する。
【０１０５】
本処理は、図５のメンテナンス動画再生処理に先行して実行され、同処理にて再生されるユーザ登録動画を登録する処理である。
【０１０６】
本処理は、カメラ３１５、複合機１００、サーバ２００にて実行される。カメラ３１５は動画撮影が可能で、複合機１００と通信可能に接続されている。複合機１００側の処理は、ＲＯＭ１０３またはＨＤＤ１０４に格納されたプログラムをＣＰＵ１０１が実行し、また、サーバ側の処理はＲＯＭ２０３またはＨＤＤ２０４に格納されたプログラムをＣＰＵ２０１が実行する。ただし、表示、操作する画面については、複合機１００のディスプレイ１１９でもよいし、カメラ１１５の画面でもよい。
【０１０７】
ステップＳ９０１では、カメラ３１５にてユーザ動画が撮影され、カメラ３１５に保存される。
【０１０８】
ステップＳ９０２では、カメラ３１５にてユーザ登録動画として登録するユーザ動画を選択し、選択されたユーザ動画を複合機１００に送信する。
【０１０９】
ステップＳ９０３では、複合機１００にてカメラ３１５から送信されたユーザ動画を受信する。
【０１１０】
ステップＳ９０４では、受信したユーザ動画をユーザ登録動画として対応付けるメンテナンス動画を選択する。選択方法については、メンテナンス動画の一覧から使用者に選択させてもよいし、メンテナンス動画再生中であれば、再生中のメンテナンス動画を自動的に選択してもよい。
【０１１１】
ステップＳ９０５では、後述するユーザ登録動画再生開始時間設定処理を実行し、ユーザ登録動画再生開始時間を設定する。
【０１１２】
ステップＳ９０６では、図３０に示すユーザ登録動画登録画面にて登録内容を確認し、登録ボタンを押下することにより、ユーザ登録動画（データ）とともに、対応するメンテナンス動画情報、設定されたユーザ登録動画再生開始時間、および、ユーザ登録動画から取得される再生時間、複合機から取得される機器情報等の付属情報を複合機１００からサーバ２００へ送信する。
【０１１３】
ステップＳ９０７では、サーバ２００にて、複合機１００から送信されたユーザ登録動画と付属情報を受信する。
【０１１４】
ステップＳ９０８では、受信したユーザ登録動画と付属情報を、ＲＡＭ２０２またはＨＤＤ２０４に格納されたユーザ登録動画管理テーブルに登録する。
以上でユーザ登録動画登録処理を終了する。
【０１１５】
図３０にユーザ登録動画登録処理にて表示するユーザ登録動画登録画面の一例を示す。
【０１１６】
本画面例は、ユーザ動画を撮影したカメラ３１５（本例はスマートフォンのカメラ機能を想定）のディスプレイに画面表示しているが、複合機１００のディスプレイ１１９に画面表示してもよい。
【０１１７】
サムネイル表示部３０００は、使用者が撮影した動画のサムネイルを表示する。
【０１１８】
機種名３００１は、ユーザ登録動画を撮影した対象機種名である。
【０１１９】
撮影日時３００２は、ユーザ登録動画の撮影日時である。
【０１２０】
動画ファイル名３００３は、ユーザ登録動画を関連付けるメンテナンス動画ファイル名である。
【０１２１】
再生開始時間３００４は、ユーザ登録動画の再生タイミングを決定付ける再生開始時間を表し、選択すると後述するユーザ登録動画再生開始時間設定処理へ遷移する。再生開始時間３００４は使用者が直接、時間を指定しても構わない。また、再生開始時間３００４に００：００が指定された場合は、メンテナンス動画のチャプター開始時にユーザ登録動画の再生を開始することを表す。
【０１２２】
キャンセルボタン３００５が押下されると、設定を破棄する。
【０１２３】
登録ボタン３００６が押下されると、設定が確定され、サーバ２００に設定内容が送信されて登録される。
【０１２４】
図４７にユーザ登録動画管理テーブルのデータ構成の一例を示す。
【０１２５】
ユーザ登録動画ＩＤ４７０１は、ユーザ登録動画を一意に管理するＩＤである。ユーザ登録動画ＩＤ４７０１は本実施例においては登録順に割り振っているが、一意になるものであればその他の方法を用いても構わない
【０１２６】
ユーザ登録動画再生開始時間４７０２は、ユーザ登録動画の再生タイミングを決定付ける再生開始時間を示す。メンテナンス動画再生中、いつユーザ登録動画を再生開始するかの情報である。００：００が設定された場合は、メンテナンス動画のチャプター開始時を表す。
【０１２７】
ユーザ登録動画再生時間４７０３は、ユーザ登録動画そのものの再生時間を表す情報である。
【０１２８】
ユーザ登録動画登録日時４７０４は、ユーザ登録動画をデータベースに登録した日時である。
【０１２９】
機種名４７０５は、ユーザ登録動画の対象となる複合機の機種名である。
【０１３０】
メンテナンス動画ＩＤ４７０６は、ユーザ登録動画を関連付けるメンテナンス動画を特定するためのキー情報である。
【０１３１】
メンテナンス動画ファイル名４７０７は、ユーザ登録動画を関連付けるメンテナンス動画のファイル名である。
【０１３２】
図１０を参照して、ユーザ登録動画再生開始時間設定処理について説明する。
【０１３３】
本処理は、複合機１００側にて、ＲＯＭ１０３またはＨＤＤ１０４に格納されたプログラムをＣＰＵ１０１が実行する。ただし、表示、操作する画面については、複合機１００のディスプレイ１１９でもよいし、カメラ１１５の画面でもよい。
【０１３４】
ステップＳ１００１では、図３０に示すユーザ登録動画登録画面にて再生開始時間３００４が選択されると、図３１に示すように、ユーザ登録動画登録画面上に、メッセージ３１００「ユーザ登録動画の再生を開始したい箇所まで動画を進めて、開始位置決定ボタンを押下して下さい」をポップアップ表示する。
【０１３５】
ステップＳ１００２では、図３２の再生開始時間設定画面を表示し、メンテナンス動画を再生し、使用者が撮影したユーザ登録動画を再生したい任意のタイミングを選択する。
【０１３６】
ステップＳ１００３では、開始位置決定ボタンが押下されるまで待機し、押下されれば処理をステップＳ１００４に移す。
【０１３７】
ステップＳ１００４では、メンテナンス動画が再生開始してからの時間を取得し、ユーザ動画再生開示時間とする。
【０１３８】
ステップＳ１００５では、ユーザ登録動画登録画面に遷移する。
【０１３９】
以上でユーザ登録動画再生開始時間設定処理を終了する。
【０１４０】
図３１にユーザ登録動画再生開始時間設定処理にて最初に表示するメッセージの一例を示す。
【０１４１】
ポップアップウィンドウ３１００は、図３０に示すユーザ登録動画登録画面にて再生開始時間３００４が選択されると表示され、メッセージを出力する。
【０１４２】
ＯＫボタン３１０１が押下されると、ユーザ登録動画再生開始時間設定画面に遷移する。
【０１４３】
図３２にユーザ登録動画再生開始時間設定処理にて表示するユーザ登録動画再生開始時間設定画面の一例を示す。
【０１４４】
メンテナンス動画再生画面３２００は、メンテナンス動画を再生表示する。
【０１４５】
シークバー３２０１は、メンテナンス動画再生時間を表す。
【０１４６】
スライダー３２０２は、メンテナンス動画再生開始してから経過した時間を表し、ユーザ登録動画を再生開始する時間を設定する。
【０１４７】
キャンセルボタン３２０２が押下されると、ユーザ登録動画再生開始時間に００：００が設定され、ユーザ登録動画登録画面に戻る。
【０１４８】
開始位置決定ボタン３２０４が押下されると、メンテナンス動画を再生開始してから経過した時間をユーザ登録動画再生開始時間に設定し、ユーザ登録動画登録画面に戻る。
【０１４９】
［第２の実施形態］                                        
【０１５０】
以下、第２の実施形態である、管理者が使用者が属するグループ・組織や使用している機器に対するユーザ登録動画の選択設定を実施する場合について説明する。選択設定されることにより、使用者や使用機器に対して選択された登録動画のみの再生表示が可能となる。
【０１５１】
ここでは、第１の実施形態との差異を主に説明し、同一の構成については同一の記号を用いる。
【０１５２】
なお、本実施例における管理者は、複合機の管理者を想定して説明するが、メンテナンス動画を提供するメーカ側の管理者でも構わず、限定するものではない。また選択設定についても複合機の管理者が自組織に所属する使用者や使用機器に対して設定することを想定して説明するが、メーカ側が全使用者や全機器を対象として設定してもよく、限定するものではない。
【０１５３】
メンテナンス動画再生処理については、第１の実施形態（図５）と同じである。ただし、ユーザ登録動画選択処理が一部異なり、詳細を後述する。
【０１５４】
ユーザ登録動画配信処理については、第１の実施形態（図６）と同じである。
【０１５５】
図１１を参照して、第２の実施形態のユーザ動画選択処理について説明する。
【０１５６】
ステップＳ１１０１では、サーバ２００から受信したユーザ登録動画の中から、現在の使用者や使用機器に対応付けられたユーザ登録動画を取得する。本実施例では対応付けのキーとして、企業ＩＤ、部門ＩＤ、機器ＩＤを使用しているが、ユーザ登録動画の選択設定を実施する単位であれば何でもよい。
【０１５７】
ステップＳ１１０２〜Ｓ１１０９は、第１の実施形態（図７）のステップＳ７０１〜Ｓ７０８と処理内容としては同じであるが、ステップＳ１１０１にて選択取得されたユーザ登録動画を対象とする点が第１の実施形態と異なる。
【０１５８】
以上で第２の実施形態のユーザ登録動画選択処理を終了する。
【０１５９】
メンテナンス動画／ユーザ登録動画再生処理については、第１の実施形態（図８）と同じである。
【０１６０】
ユーザ登録動画登録処理については、第１の実施形態（図９）と同じである。
【０１６１】
ユーザ登録動画再生開始時間設定処理については、第１の実施形態（図１０）と同じである。
【０１６２】
図１２を参照して、第２の実施形態のユーザ登録動画選択編集処理について説明する。
【０１６３】
本処理は、複合機１００、サーバ２００にて実行される。複合機１００側の処理は、ＲＡＭ１０２またはＨＤＤ１０４に格納されたプログラムをＣＰＵ１０１が実行し、また、サーバ側の処理はＲＯＭ２０３またはＨＤＤ２０４に格納されたプログラムをＣＰＵ２０１が実行する。
【０１６４】
ステップＳ１２０１では、ＨＤＤ１０４に格納されているメンテナンス動画の一覧を取得する。
【０１６５】
ステップＳ１２０２からステップＳ１２０６まで、一覧取得したメンテナンス動画に対して処理を繰り返し実行する
【０１６６】
ステップＳ１２０３では、複合機１００からサーバ２００に対して、メンテナンス動画に対応付けられたユーザ登録動画リストの配信要求を送信する。
【０１６７】
ステップＳ１２０４では、サーバ２００にて後述するユーザ登録動画リスト配信処理を実行し、、複合機１００にユーザ登録動画リストを送信する。
【０１６８】
ステップＳ１２０５では、複合機１００にて、サーバ２００から送信されたユーザ登録動画リストを受信する。
【０１６９】
ステップＳ１２０７では、受信した全てのユーザ動画リストをもとに、図３３に示すユーザ登録動画選択設定画面にユーザ登録動画一覧を表示する。
【０１７０】
ステップＳ１２０８では、図３３に示すユーザ登録動画選択設定画面のユーザ登録動画一覧から表示させるユーザ動画を選択させ、対応付ける企業ＩＤ／部門ＩＤ／機器ＩＤを選択または直接入力させることにより、ユーザ登録動画の選択設定を実施する。
【０１７１】
ステップＳ１２０９では、複合機１００からサーバ２００へ、ユーザ登録動画の選択設定情報を送信する。
【０１７２】
ステップＳ１２１０では、サーバ２００にて複合機１００から送信されたユーザ登録動画の選択設定情報を受信する。
【０１７３】
ステップＳ１２１１では、サーバ２００にて、、ＲＡＭ２０２またはＨＤＤ２０４に格納したユーザ登録動画使用決定テーブルに、受信したユーザ登録動画の選択設定情報を登録する。
【０１７４】
以上で第２の実施形態のユーザ登録動画選択編集処理を終了する。
【０１７５】
図３３は第２の実施形態のユーザ登録動画選択編集処理で表示するユーザ登録動画選択設定画面の一例である。
【０１７６】
ユーザ登録動画一覧３３００にサーバから受信したユーザ登録動画の一覧が表示される。
【０１７７】
選択設定チェック欄３３０１をチェック／チェック解除することにより、ユーザ登録動画の選択設定／解除を選択する。
【０１７８】
企業ＩＤ／部門ＩＤ／機器ＩＤ入力欄３３０２では、ユーザ登録動画を選択設定する対象である、使用者が属する企業、部門、または使用している機器に対するＩＤを選択または直接入力する。
【０１７９】
選択終了ボタン３３０３を押下することにより、選択設定内容が確定し、サーバ２００に設定情報が送信され登録される。
【０１８０】
以上で第２の実施形態のユーザ登録動画選択編集処理を終了する。
【０１８１】
図４８にユーザ登録使用決定テーブルのデータ構成の一例を示す。
【０１８２】
管理ＩＤ４８０１は、設定情報を一意に識別するためのＩＤを表す。管理ＩＤ４８０１は本実施例においては登録順に割り振るが、一意になるものであればその他の方法を用いても構わない。
【０１８３】
企業ＩＤ／部門ＩＤ／機器ＩＤ４８０２は、ユーザ登録動画を選択設定する対象のＩＤを表す。本実施例では、使用者が属する企業、部門、または、使用機器を表すＩＤを登録する。また、本実施例では本ＩＤはメーカが一元的に発行することを想定しているが、一意になるのであれば、自動発行等、他の方法を用いてもよい。
【０１８４】
ユーザ登録動画ＩＤ４８０３は、使用者が選択設定を行ったユーザ登録動画のＩＤを表す。
【０１８５】
図１３を参照して、ユーザ登録動画リスト配信処理について説明する。
【０１８６】
本処理は、サーバ２００側にて、ＲＯＭ２０３またはＨＤＤ２０４に格納されたプログラムをＣＰＵ２０１が実行する。
【０１８７】
ステップＳ１３０１では、複合機１００から送信されたメンテナンス動画情報を受信する。
【０１８８】
ステップＳ１３０２では、受信したメンテナンス動画情報に含まれるメンテナンス動画ＩＤをキーとして、メンテナンス動画に対応付けられたユーザ登録動画を検索する。
【０１８９】
ステップＳ１３０３では、検索されたユーザ登録動画に対するユーザ登録動画ＩＤ、再生時間等のユーザ動画管理テーブルの項目を編集し、ユーザ登録動画リストとして、複合機１００に送信する。
【０１９０】
以上でユーザ登録動画リスト配信処理を終了する。
【０１９１】
［第３の実施形態］                                        
【０１９２】
以下、第３の実施形態である、管理者がユーザ登録動画に対して必須設定を実施する場合について説明する。必須設定されることにより、使用者は重要なユーザ登録動画を確実に再生表示させることが可能となる。
【０１９３】
ここでは、第１の実施形態との差異を主に説明し、同一の構成については同一の記号を用いる。
【０１９４】
なお、本実施例における管理者は、複合機の管理者を想定して説明するが、メンテナンス動画を提供するメーカ側の管理者でも構わず、限定するものではない。
【０１９５】
図１４を参照して、第３の実施形態のメンテナンス動画再生処理について説明する。
【０１９６】
本処理は、複合機１００側の処理は、ＲＯＭ１０３またはＨＤＤ１０４に格納されたプログラムをＣＰＵ１０１が実行する。また、サーバ側の処理はＲＯＭ２０３またはＨＤＤ２０４に格納されたプログラムをＣＰＵ２０１が実行する。
【０１９７】
ステップＳ１４０１では、複合機１００にエラーが発生した場合に、そのエラー内容に基づき、ＨＤＤ１０４に保持しているメンテナンス動画の再生処理を開始する。
【０１９８】
ステップＳ１４０２では、複合機１００からサーバ２００に対して、メンテナンス動画に対応付けられたユーザ登録動画リストの配信要求を送信する。
【０１９９】
ステップＳ１４０３では、サーバ２００にて図１３に示すユーザ登録動画リスト配信処理を実行し、複合機１００にユーザ登録動画リストを送信する。
【０２００】
ステップＳ１４０４では、複合機１００にて、サーバ２００から送信されたユーザ登録動画リストを受信する。
【０２０１】
ステップＳ１４０５では、ユーザ登録動画使用設定を取得する。ユーザ登録動画使用設定は、図２８に示すユーザ登録動画使用設定画面から設定し、設定内容をＲＡＭ１０２もしくはＨＤＤ１０４に保持している。
【０２０２】
ステップＳ１４０６では、ステップＳ１４０５で読み込んだユーザ登録動画使用設定の設定内容からユーザ登録動画を使用するか否かを判定する。使用すると判定された場合は処理をステップＳ１４０７に移し、使用しないと判定された場合は処理をステップＳ１４０８に移す。
【０２０３】
ステップＳ１４０７では、ステップＳ１４０４にて受信したユーザ登録動画リストをもとに、ユーザ登録動画が存在するか判定する。存在すると判定された場合は処理をステップＳ１４０９に移し、存在しないと判定された場合は処理をステップＳ１４１３に移す。なお本実施例ではサーバ２００から受信したユーザ登録動画リストをもとに判定しているが、都度サーバに問い合わせるようにしてもよい。
【０２０４】
ステップ１４０８では、ステップＳ１４０４にて受信したユーザ登録動画リストをもとに、必須動画フラグが１に設定されたユーザ登録動画（以下、必須ユーザ登録動画）が存在するか判定する。存在すると判定された場合は処理をステップＳ１４０９に移し、。存在しないと判定された場合は処理をステップＳ１４１３に移す。なお本実施例ではサーバ２００から受信したユーザ登録動画リストをもとに判定しているが、都度サーバに問い合わせるようにしてもよい。
【０２０５】
ステップＳ１４０９では、複合機１００からサーバ２００に対して、ユーザ登録動画の配信要求を送信する。このとき、ユーザ登録動画を使用しない、かつ、必須ユーザ登録動画が存在する場合には、必須ユーザ登録動画のみの配信要求とする。
【０２０６】
ステップＳ１４１０では、複合機１００からの要求を受けて、サーバ２００にて図６に示すユーザ登録動画配信処理を実行し、複合機１００に要求されたユーザ登録動画を送信する。
【０２０７】
ステップＳ１４１１では、複合機１００にて、サーバ２００から送信されたユーザ登録動画を受信する。
【０２０８】
ステップＳ１４１２では、第１の実施形態（図５）のステップＳ５０８と同様に、ユーザ登録動画選択処理を実行して、再生するユーザ登録動画を選択する。ただし、必須ユーザ動画については、必ず再生するため選択の対象から除外してもよいし、図２９に示すユーザ登録動画選択画面の選択チェック２９０１をチェックして変更不可の状態で表示してもよい。
【０２０９】
ステップＳ１４１３では、後述する第３の実施形態のメンテナンス動画／ユーザ登録動画再生処理を実行する。
【０２１０】
ステップＳ１４１４では、メンテナンス動画再生を終了する。
【０２１１】
以上で第３の実施形態のメンテナンス動画再生処理を終了する。
【０２１２】
ユーザ登録動画配信処理については、第１の実施形態（図６）と同じである。
【０２１３】
ユーザ登録動画選択処理については、第１の実施形態（図７）と同じである。
【０２１４】
図１５を参照して、第３の実施形態のメンテナンス動画／ユーザ動画再生処理について説明する。
【０２１５】
本処理は、複合機１００側にて、ＲＯＭ１０３またはＨＤＤ１０４に格納されたプログラムをＣＰＵ１０１が実行する。
【０２１６】
ステップＳ１５０１では、ユーザ登録動画再生設定を取得する。ユーザ登録動画再生設定は、図２８に示すユーザ登録動画使用設定画面から設定し、設定内容をＲＡＭ１０２もしくはＨＤＤ１０４に保持している。
【０２１７】
ステップＳ１５０２では、必須ユーザ登録動画全画面表示設定を取得する。必須ユーザ登録動画全画面表示設定は、図２８に示すユーザ登録動画使用設定画面から設定し、設定内容をＲＡＭ１０２もしくはＨＤＤ１０４に保持している。
【０２１８】
図２８に示すユーザ登録動画使用設定画面では、必須ユーザ登録動画全画面表示設定は複合機使用者が、ＯＦＦ２８０７、または、ＯＮ２８０８を選択する。
図１５のフローの説明に戻る。
【０２１９】
ステップＳ１５０３からステップＳ１５１０まで、対象となる各メンテナンス動画に対して処理を繰り返し実行する。
【０２２０】
ステップＳ１５０４では、メンテナンス動画の再生を開始する。
【０２２１】
ステップＳ１５０５では、前記メンテナンス動画に対応したユーザ登録動画／必須ユーザ登録動画が存在するかどうか判定する。判定対象となるユーザ登録動画は、図１４のユーザ登録動画選択処理により選択されたものであり、必須ユーザ登録動画はメンテナンス動画に対応したもの全てである。存在する場合は処理をステップＳ１５０６に移す。存在しない場合は処理をステップＳ１５０９に移す。
【０２２２】
ステップＳ１５０６では、ユーザ登録動画再生設定が、チャプター開始時か、注意喚起時かに従い、それぞれの再生開始時点に到達したかどうかを判定する。チャプター開始時であれば、メンテナンス動画の再生が開始されているので即時に開始し、注意喚起時であれば、使用者が設定したユーザ登録動画再生開始時間が経過後、再生を開始する。到達した場合は処理をステップＳ１５０７に移し、到達していない場合は到達するまで待つ。
【０２２３】
ステップＳ１５０７では、再生するユーザ登録動画が必須ユーザ登録動画であり、かつ、必須ユーザ登録動画全画面表示設定がＯＮかどうかを判定する。Ｙｅｓの場合は処理をステップＳ１５０８に移し、Ｎｏの場合は処理をステップＳ１５０９に移す。
【０２２４】
ステップＳ１５０８では、必須ユーザ登録動画を全画面にて再生表示する。このとき、メンテナンス動画は必須ユーザ登録動画に隠れてしまうため、再生を一時停止する。
【０２２５】
図３５に必須ユーザ動画の全画面表示の画面イメージを示す。ユーザ登録動画３５００が全画面にて再生表示される。
図１５のフローの説明に戻る。
【０２２６】
ステップＳ１５０９では、ユーザ登録動画をワイプ画面にて再生する。本実施例では、ユーザ登録動画の再生中は、メンテナンス動画の再生を一時停止させているが、メンテナンス動画を並行して再生してもよい。
【０２２７】
ステップＳ１５１０では、複合機１００のステータスから、障害が残っているかどうかを判定する。障害が残っている場合はステップＳ１５０３に戻って次のメンテナンス動画について処理を繰り返し、障害が残っていない場合はメンテナンス動画に対する繰り返し処理から抜ける。
【０２２８】
以上で第３の実施形態のメンテナンス動画／ユーザ登録動画再生処理を終了する。
【０２２９】
ユーザ登録動画登録処理については、第１の実施形態（図９）と同じである。
【０２３０】
ユーザ登録動画再生開始時間設定処理については、第１の実施形態（図１０）と同じである。
【０２３１】
図１６を参照して、第３の実施形態のユーザ登録動画必須設定編集処理について説明する。
【０２３２】
本処理は、複合機１００、サーバ２００にて実行される。複合機１００側の処理は、ＲＯＭ１０３またはＨＤＤ１０４に格納されたプログラムをＣＰＵ１０１が実行し、また、サーバ側の処理はＲＯＭ２０３またはＨＤＤ２０４に格納されたプログラムをＣＰＵ２０１が実行する。
【０２３３】
ステップＳ１６０１からＳ１６０６までは、第２の実施形態のユーザ登録動画選択編集処理（図１２）のステップＳ１２０１からＳ１２０６と同じであるため省略する。
【０２３４】
ステップＳ１６０７では、受信した全てのユーザ動画リストをもとに、図３４に示すユーザ登録動画必須設定画面にユーザ登録動画一覧を表示する。
【０２３５】
ステップＳ１６０８では、図３４に示すユーザ登録動画必須設定画面のユーザ登録動画一覧から必須設定するユーザ登録動画を選択させることにより、ユーザ登録動画の必須設定を実施する。
【０２３６】
ステップＳ１６０９では、複合機１００からサーバ２００へ、ユーザ登録動画の必須設定情報を送信する。
【０２３７】
ステップＳ１６１０では、サーバ２００にて複合機１００から送信されたユーザ登録動画の必須設定情報を受信する。
【０２３８】
ステップＳ１６１１では、サーバ２００にて、、ＲＡＭ２０２またはＨＤＤ２０４に格納した図４９に示すユーザ登録動画管理テーブルに、受信したユーザ登録動画の必須設定情報を登録する。
【０２３９】
以上で第３の実施形態のユーザ登録動画必須設定編集処理を終了する。
【０２４０】
図３４は第３の実施形態のユーザ登録動画必須設定編集処理で表示するユーザ登録動画必須設定画面の一例である。
【０２４１】
ユーザ登録動画一覧３４００にサーバから受信したユーザ登録動画の一覧が表示される。
【０２４２】
選択設定チェック欄３４０１をチェック／チェック解除することにより、ユーザ登録動画の必須設定／解除を設定する。
【０２４３】
選択終了ボタン３３０２を押下することにより、必須設定内容が確定し、サーバ２００に設定情報が送信され登録される。
【０２４４】
図４９に第３の実施形態で登録されるユーザ登録動画管理テーブルのデータ構成の一例を示す。
【０２４５】
第１の実施形態で登録されるユーザ登録動画管理テーブル（図４７）と対比すると、４９０１から４９０７までは、４７０１から４７０７と同じであり、異なる点は必須動画フラグ４９０８が追加されている。
【０２４６】
必須動画フラグ４９０８は、必須設定の場合は１が、必須設定でない場合は０が設定される。
【０２４７】
［第４の実施形態］                                        
【０２４８】
以下、第４の実施形態である、メンテナンス動画上にユーザ登録動画の説明箇所を表す吹き出しを表示し、吹き出しを指定することによりユーザ登録動画を再生表示する場合について説明する。吹き出し表示されることにより、使用者がメンテナンス動画とユーザ登録動画の関連性をより把握できる。
【０２４９】
ここでは、第１の実施形態との差異を主に説明し、同一の構成については同一の記号を用いる。
【０２５０】
なお、本実施例では表示方法として吹き出しを使用しているが、アイコンや記号等、メンテナンス動画上のユーザ動画の説明箇所を指定できるオブジェクトであればよく、限定するものではない。
【０２５１】
メンテナンス動画再生処理については、第１の実施形態（図５）と同じである。ただし、メンテナンス動画／ユーザ登録動画再生処理が一部異なり、詳細を後述する。
【０２５２】
ユーザ登録動画配信処理については、第１の実施形態（図６）と同じである。
【０２５３】
ユーザ登録動画選択処理については、第１の実施形態（図７）と同じである。
【０２５４】
図１７を参照して、第４の実施形態のメンテナンス動画／ユーザ登録動画再生処理について説明する。  本処理は、複合機１００側にて、ＲＯＭ１０３またはＨＤＤ１０４に格納されたプログラムをＣＰＵ１０１が実行する。
【０２５５】
ステップＳ１７０１では、ユーザ登録動画再生設定を取得する。ユーザ登録動画再生設定は、図２８に示すユーザ登録動画使用設定画面から設定し、設定内容をＲＡＭ１０２もしくはＨＤＤ１０４に保持している。
【０２５６】
ステップＳ１７０２からステップＳ１７１２まで、対象となる各メンテナンス動画に対して処理を繰り返し実行する。
【０２５７】
ステップＳ１７０３では、メンテナンス動画の再生を開始する。
【０２５８】
ステップＳ１７０４では、前記メンテナンス動画に対応したユーザ登録動画が存在するかどうか判定する。判定対象となるユーザ登録動画は、ユーザ登録動画選択処理により選択されたものである。存在する場合は処理をステップＳ１７０５に移す。存在しない場合は処理をステップＳ１７１１に移す。
【０２５９】
ステップＳ１７０５では、ユーザ登録動画再生設定が、チャプター開始時か、注意喚起時かに従い、それぞれの再生開始時点に到達したかどうかを判定する。チャプター開始時であれば、メンテナンス動画の再生が開始されているので即時に吹き出し表示を開始し、注意喚起時であれば、使用者が設定したユーザ登録動画再生開始時間が経過後、吹き出し表示を開始する。到達した場合は処理をステップＳ１７０６に移し、到達していない場合は到達するまで待つ。
【０２６０】
ステップＳ１７０６では、図５０で示すユーザ登録動画管理テーブルに設定されている吹き出し表示座標の位置に吹き出しを表示する。
【０２６１】
図３６に吹き出し表示の画面イメージを示す。メンテナンス画面上のユーザ動画が対応する説明箇所に吹き出し３６００が表示される。
図１７のフローの説明に戻る。
【０２６２】
ステップＳ１７０７では、吹き出し部分が押下されたかを判定する。押下された場合は処理をステップＳ１７０８に進め、押下されていない場合は処理をステップＳ１７０９に進める。
【０２６３】
ステップＳ１７０８では、押下された吹き出しに対応したユーザ登録動画を再生する。
【０２６４】
ステップＳ１７０９では、吹き出し表示開始から予め設定された時間を経過したかを判定する。経過した場合は処理をステップＳ１７１０に進め、経過していない場合はステップＳ１７０７に戻る。
【０２６５】
ステップＳ１７１０では、吹き出しを非表示にする。
【０２６６】
ステップＳ１７１１では、複合機１００のステータスから、障害が残っているかどうかを判定する。障害が残っている場合はステップＳ１７０２に戻って次のメンテナンス動画について処理を繰り返し、障害が残っていない場合はメンテナンス動画に対する繰り返し処理から抜ける。
【０２６７】
以上で第４の実施形態のメンテナンス動画／ユーザ登録動画再生処理を終了する。
【０２６８】
図１８を参照して、第４の実施形態のユーザ登録動画登録処理について説明する。
【０２６９】
本処理は、図１７のメンテナンス動画再生処理に先行して実行され、同処理にて再生されるユーザ登録動画を登録する処理である。
【０２７０】
本処理は、カメラ３１５、複合機１００、サーバ２００にて実行される。カメラ３１５は動画撮影が可能で、複合機１００と通信可能に接続されている。複合機１００側の処理は、ＲＯＭ１０３またはＨＤＤ１０４に格納されたプログラムをＣＰＵ１０１が実行し、また、サーバ側の処理はＲＯＭ２０３またはＨＤＤ２０４に格納されたプログラムをＣＰＵ２０１が実行する。ただし、表示、操作する画面については、複合機１００のディスプレイ１１９でもよいし、カメラ１１５の画面でもよい。
【０２７１】
ステップＳ１８０１〜Ｓ１８０４およびステップＳ１８０６〜Ｓ１８０９は、第１の実施形態（図９）のステップＳ９０１〜Ｓ９０４およびステップＳ９０５〜Ｓ９０８と同じ処理内容である。ステップＳ９０５が追加されている点が異なる。
【０２７２】
ステップＳ９０５では、後述するユーザ登録動画吹き出し設定処理を実行することにより、ユーザ動画に対して吹き出し表示の設定を実施する。
【０２７３】
以上で、第４の実施形態のユーザ登録動画登録処理を終了する。
【０２７４】
図１９を参照して、第４の実施形態のユーザ登録動画吹き出し設定処理について説明する。
【０２７５】
本処理は、複合機１００側にて、ＲＯＭ１０３またはＨＤＤ１０４に格納されたプログラムをＣＰＵ１０１が実行する。
【０２７６】
ステップ１９０１では、再生中のメンテナンス動画上の吹き出しの決定を要求するメッセージを出力する。図３７にメッセージ出力の画面イメージを示す。
【０２７７】
図３７では、ユーザ登録動画吹き出し設定処理を開始するメッセージ３７００が表示され、ＯＫボタン３７０１を押下することにより、図３８のユーザ登録動画吹き出し表示登録画面に遷移する。
図１９のフローの説明に戻る。
【０２７８】
ステップＳ１９０２では、図３８に示すユーザ登録動画吹き出し設定画面にて、メンテナンス動画上でタッチされたかを判定する。タッチされた場合、処理をステップＳ１９０３に移し、タッチされていない場合は、タッチされるまで待機する。
【０２７９】
ステップＳ１９０３では、タッチされた位置に吹き出し表示箇所を表す印を表示する。ただし、印ではなく、吹き出しそのものでもよく、吹き出し表示箇所がわかるものであればよい。
【０２８０】
図３８にユーザ登録動画吹き出し表示登録画面の画面イメージを示す。
【０２８１】
吹き出し表示箇所３８００は、メンテナンス動画上でタッチされることにより指定され印が表示される。
【０２８２】
キャンセルボタン３８０１が押下されると、吹き出し表示箇所３８００が非表示となり、再度吹き出し表示箇所３８００の指定が可能となる。
【０２８３】
決定ボタン３８０２が押下されると、吹き出し表示箇所３８００が確定される。
図１９のフローの説明に戻る。
【０２８４】
ステップＳ１９０４では、吹き出し表示箇所を確認するメッセージをポップアップ表示し、ユーザに確認させる。図３９に確認メッセージ表示の画面イメージを示す。メッセージ３９００が表示され、キャンセルボタン３９０１、または、ＯＫボタン３９０２を押下させる。
【０２８５】
ステップＳ１９０５では、ＯＫボタンが押下されたか判定する。押下された場合は処理をステップＳ１９０６に、押下されていない場合は処理をステップＳ１９０８に移す。
【０２８６】
ステップＳ１９０６では、吹き出し表示箇所から吹き出し表示座標を取得し、吹き出し表示箇所を確定する。図４０に確定後に表示される画面イメージを示す。吹き出し設定確定後は吹き出し表示設定４００５に済が表示され、吹き出し表示箇所が確定されたことがわかる。
【０２８７】
ステップＳ１９０７では、吹き出し表示箇所を表す印を非表示にする。
【０２８８】
ステップＳ１９０８では、キャンセルボタンが押下されたか判定する。押下された場合はステップＳ１９０９にて吹き出し表示箇所を表す印を非表示にして、ステップＳ１９０２に戻る。押下されていない場合はステップＳ１９０５に戻る。
【０２８９】
以上で第４の実施形態のユーザ登録動画吹き出し設定処理を終了する。
【０２９０】
図５０に第４の実施形態で登録されるユーザ登録動画管理テーブルのデータ構成の一例を示す。
【０２９１】
第１の実施形態で登録されるユーザ登録動画管理テーブル（図４７）と対比すると、５００１から５００７までは、４７０１から４７０７と同じであり、異なる点は吹き出し表示座標５００８が追加されている。
【０２９２】
吹き出し表示座標５００８は、吹き出しを表示する位置を、メンテナンス動画の左上隅からの縦方向、横方向の画素数にて表す。
【０２９３】
［第５の実施形態］                                        
【０２９４】
以下、第５の実施形態である、メンテナンス動画を視聴しメンテナンス作業を実施しているユーザに対して、実施中のメンテナンス箇所に対応する清掃等の作業（付随作業と呼ぶ）に関する動画を通知して、再生する場合について説明する。直接メンテナンス作業には関連しないが、メンテナンス作業を実施している箇所について清掃等の動画を表示し、メンテナンス作業と同時に作業を実施させることにより、作業効率を向上し、機器の故障確率を減らすことができる。
【０２９５】
ここでは、第１および第３の実施形態との差異を主に説明し、同一の構成については同一の記号を用いる。
【０２９６】
なお、本実施例においては清掃動画として説明するが、部品交換に関する動画でもよく限定するものではない。
【０２９７】
メンテナンス動画再生処理については、第１の実施形態（図５）と同じである。ただし、メンテナンス動画／ユーザ登録動画再生処理が一部異なり、詳細を後述する。
【０２９８】
ユーザ登録動画配信処理については、第１の実施形態（図６）と同じである。
【０２９９】
ユーザ登録動画選択処理については、第１の実施形態（図７）と同じである。
【０３００】
図２０を参照して、第５の実施形態のメンテナンス動画／ユーザ登録動画再生処理について説明する。
【０３０１】
本処理は、複合機１００側にて、ＲＯＭ１０３またはＨＤＤ１０４に格納されたプログラムをＣＰＵ１０１が実行する。
【０３０２】
ステップＳ２００１では、ユーザ登録動画再生設定を取得する。ユーザ登録動画再生設定は、図２８に示すユーザ登録動画使用設定画面から設定し、設定内容をＲＡＭ１０２もしくはＨＤＤ１０４に保持している。
【０３０３】
ステップＳ２００２からステップＳ２０１３まで、対象となる各メンテナンス動画に対して処理を繰り返し実行する。
【０３０４】
ステップＳ２００３では、メンテナンス動画の再生を開始する。
【０３０５】
ステップＳ２００４では、前記メンテナンス動画に対応したユーザ登録動画が存在するかどうか判定する。判定対象となるユーザ登録動画は、ユーザ登録動画選択処理により選択されたものである。存在する場合は処理をステップＳ２００５に移す。存在しない場合は処理をステップＳ２０１２に移す。
【０３０６】
ステップＳ２００５では、ユーザ登録動画再生設定が、チャプター開始時か、注意喚起時かに従い、それぞれの再生開始時点に到達したかどうかを判定する。チャプター開始時であれば、メンテナンス動画の再生が開始されているので即時に開始し、注意喚起時であれば、使用者が設定したユーザ登録動画再生開始時間が経過後、再生を開始する。到達した場合は処理をステップＳ２００６に移し、到達していない場合は到達するまで待つ。
【０３０７】
ステップＳ２００６では、ユーザ登録動画が清掃動画かどうかを判定する。判定基準としては、図５１で示すユーザ登録動画管理テーブルに設定されている清掃動画区分により判定する。清掃動画の場合は処理をステップＳ２００７に移し、清掃動画でない場合は処理をステップＳ２０１１に移す。
【０３０８】
ステップＳ２００７では、確認メッセージ「メンテナンス箇所に関連する清掃動画を再生しますか？」をポップアップ表示する。図４１に確認メッセージ表示の画面イメージを示す。図４１では、メッセージ４１００が表示され、Ｎｏボタン４１０１とＹｅｓボタン４１０２が用意されている。
【０３０９】
ステップＳ２００８では、図４１に示す確認メッセージ表示画面でＹｅｓボタンが押下されたかを判定する。押下された場合は処理をステップＳ２００９に進め、押下されていない場合は処理をステップＳ２０１０に移す。
【０３１０】
ステップＳ２００９では、ユーザ登録動画（清掃動画）を再生表示する。
【０３１１】
ステップＳ２０１０では、図４１に示す確認メッセージ表示画面でＮｏボタンが押下されたかを判定する。押下された場合は処理をステップＳ２０１１に進め、押下されていない場合はステップＳ２００７に戻る。
【０３１２】
ステップＳ２０１１では、ユーザ登録動画が清掃動画ではないので、そのままユーザ登録動画を再生表示する。
【０３１３】
ステップＳ２０１２では、複合機１００のステータスから、障害が残っているかどうかを判定する。障害が残っている場合はステップＳ２００２に戻って次のメンテナンス動画について処理を繰り返し、障害が残っていない場合はメンテナンス動画に対する繰り返し処理から抜ける。
【０３１４】
以上で第５の実施形態のメンテナンス動画／ユーザ登録動画再生処理を終了する。
【０３１５】
ユーザ登録動画登録処理については、第１の実施形態（図９）と同じである。
【０３１６】
ユーザ登録動画再生開始時間設定処理については、第１の実施形態（図１０）と同じである。
【０３１７】
図２１を参照して、第５の実施形態のユーザ登録動画清掃設定編集処理について説明する。
【０３１８】
本処理は、複合機１００、サーバ２００にて実行される。複合機１００側の処理は、ＲＯＭ１０３またはＨＤＤ１０４に格納されたプログラムをＣＰＵ１０１が実行し、また、サーバ側の処理はＲＯＭ２０３またはＨＤＤ２０４に格納されたプログラムをＣＰＵ２０１が実行する。
【０３１９】
ステップＳ２１０１〜Ｓ２１０６は第３の実施形態のユーザ登録動画必須設定編集処理（図１６）のステップＳ１６０１〜Ｓ１６０６と同じである。
【０３２０】
ステップＳ２１０７では、受信した全てのユーザ動画リストをもとに、図４２に示すユーザ登録動画清掃設定画面にユーザ登録動画一覧を表示する。
【０３２１】
ステップＳ２１０８では、図４２に示すユーザ登録動画必須設定画面のユーザ登録動画一覧から清掃動画に設定するユーザ登録動画を選択させることにより、ユーザ登録動画の清掃設定を実施する。
【０３２２】
ステップＳ２１０９では、複合機１００からサーバ２００へ、ユーザ登録動画の清掃設定情報を送信する。
【０３２３】
ステップＳ２１１０では、サーバ２００にて複合機１００から送信されたユーザ登録動画の清掃設定情報を受信する。
【０３２４】
ステップＳ２１１１では、サーバ２００にて、、ＲＡＭ２０２またはＨＤＤ２０４に格納した図５１に示すユーザ登録動画管理テーブルに、受信したユーザ登録動画の清掃設定情報を登録する。
【０３２５】
以上で第５の実施形態のユーザ登録動画清掃設定編集処理を終了する。
【０３２６】
図４２は第５の実施形態のユーザ登録動画清掃設定編集処理で表示するユーザ登録動画清掃設定画面の一例である。
【０３２７】
ユーザ登録動画一覧４２００にサーバから受信したユーザ登録動画の一覧が表示される。
【０３２８】
選択設定チェック欄４２０１をチェック／チェック解除することにより、ユーザ登録動画の清掃設定／解除を設定する。
【０３２９】
選択終了ボタン４２０２を押下することにより、清掃設定内容が確定し、サーバ２００に設定情報が送信され登録される。
【０３３０】
上記では、ユーザ登録動画清掃設定画面から一括してユーザ登録動画の清掃設定を実施する方法について説明したが、ユーザ登録動画の登録時に都度、清掃設定をしてもよい。その場合に表示するユーザ登録動画清掃設定画面の画面イメージを図４３に示す。ユーザ登録動画の登録時に、図４３のユーザ登録動画清掃設定画面にて清掃動画登録チェック４３０５をチェック／チェック解除することにより、清掃設定の設定／解除を実施する。
【０３３１】
図５１に第５の実施形態で登録されるユーザ登録動画管理テーブルのデータ構成の一例を示す。
【０３３２】
第１の実施形態で登録されるユーザ登録動画管理テーブル（図４７）と対比すると、５１０１から５１０７までは、４７０１から４７０７と同じであり、異なる点は清掃動画フラグ５１０８が追加されている。
【０３３３】
清掃動画フラグ５１０８は、清掃設定の場合は１が、清掃設定でない場合は０が設定される。
【０３３４】
［第６の実施形態］                                        
【０３３５】
以下、第６の実施形態である、メンテナンス動画とユーザ登録動画とを管理者の設定に従って切り替える場合について説明する。メーカから出荷時に提供されたメンテナンス動画に対し、よりユーザの状況に適合した内容とできるユーザ登録動画を主に表示することにより、効率的にメンテナンス作業を進めることが可能となる。
【０３３６】
なお、本実施例における管理者は、複合機の管理者を想定して説明するが、メンテナンス動画を提供するメーカ側の管理者でも構わず、限定するものではない。
【０３３７】
メンテナンス動画とユーザ登録動画を切り替えた後のメンテナンス動画再生処理やユーザ登録動画登録処理については、第１乃至第５のいずれかの実施形態と同じであり、ここでは、メンテナンス動画とユーザ登録動画を切り替える方法について説明する。
【０３３８】
図２２は第６の実施形態によるメンテナンス動画・ユーザ登録動画切替設定処理の処理フローの一例である。
【０３３９】
本処理は、複合機１００側の処理は、ＲＯＭ１０３またはＨＤＤ１０４に格納されたプログラムをＣＰＵ１０１が実行する。また、サーバ側の処理はＲＯＭ２０３またはＨＤＤ２０４に格納されたプログラムをＣＰＵ２０１が実行する。
【０３４０】
ステップＳ２２０１では、後述するユーザ登録動画エラー解除数更新処理により、ユーザ登録動画に対するエラー解除数を更新する。本処理はユーザ登録動画を再生終了するごとに実行される。
【０３４１】
ステップＳ２２０２では、後述する切替候補ユーザ登録動画一覧取得処理により、メンテナンス動画に対して切替候補となるユーザ登録動画の一覧を取得する。なお、本処理の目的は切替候補となるユーザ登録動画が存在するかどうかを確認するためであり、一覧ではなく単に有無の結果のみを取得してもよい。また、全てのユーザ登録動画の一覧を取得して、複合機側で切替候補となるかどうかを判断してもよい。
【０３４２】
ステップＳ２２０３では、メンテナンス動画に対して切替候補となるユーザ登録動画が存在するか判定する。存在する場合は処理をステップＳ２２０４に進め、存在しない場合は本フローを終了する。
【０３４３】
ステップＳ２２０４では、メンテナンス動画とユーザ登録動画の切替を実施するか否かの選択を促す画面を表示し、切替実施の有無を受け付ける。図４４に画面イメージを示す。図４４では、ポップアップ画面４４０１に切替可能なメンテナンス画面が存在することを表示し、切替実施する場合には切替選択ボタン４４０２を、切替実施しない場合にはキャンセルボタン４４０３を押下させる。
【０３４４】
ステップＳ２２０５では、ステップＳ２２０４の受付結果に従い、メンテナンス動画とユーザ登録動画の切替実施有無を判定する。切替実施する場合には処理をステップＳ２２０３に進め、切替実施しない場合には本フローを終了する。
【０３４５】
ステップＳ２２０６では、後述する切替候補ユーザ登録動画取得処理により、メンテナンス動画に対して切替候補となるユーザ登録動画を取得する。
【０３４６】
ステップＳ２２０７では、切替候補ユーザ登録動画の一覧を表示する。この一覧は、ユーザ登録動画に対するエラー解除数の多いものから順に表示される。
【０３４７】
ステップＳ２２０８では、切替候補ユーザ登録動画の一覧から、切替を実施するユーザ登録動画の選択を受け付ける。
【０３４８】
図４５にステップＳ２２０７〜Ｓ２２０８で表示する画面イメージを示す。ユーザ登録動画一覧４５０２に切替候補ユーザ登録動画の一覧を表示し、選択チェック４５０１にて切替を実施するユーザ登録動画を選択し、選択終了ボタン４５０３を押下することで選択が確定する。
図２２のフローの説明に戻る。
【０３４９】
ステップＳ２２０９では、選択されたユーザ登録動画を新たなメンテナンス動画として複合機１００のＲＡＭ１０２もしくはＨＤＤ１０４に保存する。その際、切り替えられたオリジナルのメンテナンス動画は復元時に使用するため、ＲＡＭ１０２もしくはＨＤＤ１０４に保存する。
【０３５０】
また、切り替えられたオリジナルのメンテナンス動画を、他のユーザ登録動画と同様に管理できるよう、サーバ２００のＲＡＭ２０２もしくはＨＤＤ２０４のユーザ登録動画の格納領域に保存し、図５２に示すユーザ登録動画管理テーブルに登録してもよい。こうすることにより、オリジナルのメンテナンス動画か、ユーザ登録動画かを区別することなく、統一した管理が可能となる。
【０３５１】
また、上記では、複合機１００側でメンテナンス動画を格納、管理している例として説明したが、サーバ２００側でメンテナンス動画を格納、管理する構成であってもよい。その場合、選択されたユーザ登録動画を新たなメンテナンス動画としてサーバ２００のＲＡＭ２０２もしくはＨＤＤ２０４に保存する。また、切り替えられたオリジナルのメンテナンス動画は復元時に使用するため、ＲＡＭ２０２もしくはＨＤＤ２０４に保存する。
【０３５２】
以上で第６の実施形態のメンテナンス動画・ユーザ登録動画切替設定処理を終了する。
【０３５３】
図２３を参照して、第６の実施形態のユーザ登録動画エラー解除数更新処理について説明する。
【０３５４】
ステップＳ２３０１では、ユーザ登録動画が再生終了したかを判定し、終了していない場合には終了するまで待機する。
【０３５５】
ステップＳ２３０２では、複合機１００の状況を取得し、エラーが解除されたかどうかを判定する。エラーが解除された場合には処理をステップＳ２３０３に進め、エラーが解除されなかった場合には本フローを終了する。
【０３５６】
ステップＳ２３０３では、複合機１００からサーバ２００に対してエラー解除数のインクリメント依頼を行う。その際ステップＳ２３０１にて再生終了したユーザ登録動画のＩＤを送信する。
【０３５７】
ステップＳ２３０４では、サーバ２００にて、複合機１００からエラー解除数更新依頼を受信し、受信したユーザ登録動画のＩＤをキーとして、図５２に示すユーザ登録動画管理テーブルのエラー解除数をインクリメントする。
【０３５８】
本実施例では、ユーザ登録動画の再生終了時にエラーが解除されたかをチェックする形態としたが、エラー解除時に再生しているユーザ登録動画があるか確認し、再生しているユーザ登録動画があれば、再生していたユーザ登録動画のエラー解除数のインクリメント依頼を行うようにしても良い。
【０３５９】
以上で第６の実施形態のユーザ登録動画エラー解除数更新処理を終了する。
【０３６０】
図２４を参照して、第６の実施形態の切替候補ユーザ登録動画一覧取得処理について説明する。
【０３６１】
ステップＳ２４０１では、複合機１００からサーバ２００に、切替候補ユーザ登録動画の一覧取得依頼を行う。確認依頼時に予め設定してある切替ユーザ登録動画規定数を送信する。切替ユーザ登録動画規定数は後述する図４６に示す画面にて設定する。
【０３６２】
ステップＳ２４０２では、サーバ２００にて、複合機１００からの切替候補ユーザ登録動画の一覧取得依頼を受信する。
【０３６３】
ステップＳ２４０３では、サーバ２００にて、図５２に示すユーザ動画管理テーブルを検索して、切替候補となる、エラー解除数が受信した切替ユーザ登録動画規定数を超えるユーザ登録動画の存在を確認する。
【０３６４】
ステップＳ２４０４では、サーバ２００から複合機１００に、切替候補ユーザ登録動画の一覧を送信する。
【０３６５】
ステップＳ２４０５では、複合機１００にて、サーバ１００から送信された切替候補ユーザ登録動画の一覧を受信する。
【０３６６】
以上で第６の実施形態の切替候補ユーザ登録動画存在確認処理を終了する。
【０３６７】
図２５を参照して、第６の実施形態の切替候補ユーザ登録動画取得処理について説明する。
【０３６８】
ステップＳ２５０１では、複合機１００からサーバ２００に切替候補ユーザ登録動画の取得依頼を行う。取得依頼時に予め設定してある切替ユーザ登録動画規定数を送信する。切替ユーザ登録動画規定数は後述する図４６に示す画面にて設定する。
【０３６９】
ステップＳ２５０２では、サーバ２００にて、複合機１００からの切替候補ユーザ登録動画の取得依頼を受信する。
【０３７０】
ステップＳ２５０３では、サーバ２００にて、図５２に示すユーザ動画管理テーブルを検索して、切替候補となる、エラー解除数が受信した切替ユーザ登録動画規定数を超えるユーザ登録動画の一覧を取得し、対応するユーザ登録動画を取得する。
【０３７１】
ステップＳ２５０４では、取得したユーザ登録動画の一覧をエラー解除数で降順にソートする。ただし本処理は複合機１００でステップＳ２４０５にて結果を受信した後で実施してもよい。
【０３７２】
ステップＳ２５０５では、サーバ２００から複合機１００に、切替候補ユーザ登録動画とその一覧を送信する。
【０３７３】
ステップＳ２５０６では、複合機１００にて、サーバ２００から送信された切替候補ユーザ登録動画とその一覧を受信する。
【０３７４】
以上で第６の実施形態の切替候補ユーザ登録動画取得処理を終了する。
【０３７５】
図４６に切替ユーザ登録動画規定数設定の画面イメージを示す。切替ユーザ登録動画規定数４６０１を設定する。増減ボタン４６０２にて切替ユーザ登録動画規定数の増減ができ、また、該規定数の直接入力も可能である。設定終了ボタン４６０３を押下することで設定終了となる。
【０３７６】
図５２に第６の実施形態で登録されるユーザ登録動画管理テーブルのデータ構成の一例を示す。
【０３７７】
第１の実施形態で登録されるユーザ登録動画管理テーブル（図４７）と対比すると、５２０１から５２０７までは、４７０１から４７０７と同じであり、異なる点はエラー解除数５２０８が追加されている。
【０３７８】
エラー解除数５２０８は、当該ユーザ登録動画の再生終了時にエラーが解除された回数である。
【０３７９】
なお、本実施例では、エラー解除数をメンテナンス動画とユーザ登録動画の切替の判断基準に使用しているが、再生回数や、使用者による評価点数など、ユーザ登録動画の有効性を表す項目であればよい。
【０３８０】
［第７の実施形態］                                        
【０３８１】
以下、第７の実施形態である、メンテナンス動画とユーザ登録動画とを自動で切り替える場合について説明する。メーカから出荷時に提供されたメンテナンス動画に対し、よりユーザの状況に適合した内容とできるユーザ登録動画を主に表示することにより、効率的にメンテナンス作業を進めることが可能となるとともに、エラー解除の回数の多いユーザ登録動画を選択することにより、エラー解除の可能性を高めることができる。
【０３８２】
図２６は第７の実施形態によるメンテナンス動画・ユーザ登録動画自動切替設定処理の処理フローの一例である。
【０３８３】
本処理は、複合機１００側の処理は、ＲＯＭ１０３またはＨＤＤ１０４に格納されたプログラムをＣＰＵ１０１が実行する。また、サーバ側の処理はＲＯＭ２０３またはＨＤＤ２０４に格納されたプログラムをＣＰＵ２０１が実行する。
【０３８４】
ステップＳ２６０１では、図２３に示す前述のユーザ登録動画エラー解除数更新処理により、ユーザ登録動画に対するエラー解除数を更新する。本処理はユーザ登録動画を再生終了するごとに実行される。
【０３８５】
ステップＳ２６０２では、図２４に示す前述の切替候補ユーザ登録動画一覧取得処理により、メンテナンス動画に対して切替候補となるユーザ登録動画の一覧を取得する。なお、本処理の目的は切替候補となるユーザ登録動画が存在するかどうかを確認するためであり、一覧ではなく単に有無の結果のみを取得してもよい。また、全てのユーザ登録動画の一覧を取得して、複合機側で切替候補となるかどうかを判断してもよい。
【０３８６】
ステップＳ２６０３では、メンテナンス動画に対して切替候補となるユーザ登録動画が存在するか判定する。存在する場合は処理をステップＳ２６０４に進め、存在しない場合は本フローを終了する。
【０３８７】
ステップＳ２６０４では、複合機１００からサーバ２００に切替ユーザ登録動画の取得依頼を行う。本実施例で、切替ユーザ登録動画は、エラー解除数が最も多いユーザ登録動画を指す。
【０３８８】
ステップＳ２６０５では、サーバ２００にて、複合機１００からの切替ユーザ登録動画の取得依頼を受信する。
【０３８９】
ステップＳ２６０６では、サーバ２００にて、図５２に示すユーザ動画管理テーブルを検索して、エラー解除数が最も多いユーザ登録動画のＩＤを取得し、ＩＤに対応するユーザ登録動画を取得する。
【０３９０】
ステップＳ２６０７では、サーバ２００から複合機１００に、切替ユーザ登録動画を送信する。
【０３９１】
ステップＳ２６０８では、複合機１００にて、サーバ２００から送信された切替ユーザ登録動画を受信する。
【０３９２】
ステップＳ２６０９では、受信した切替ユーザ登録動画を新たなメンテナンス動画として複合機１００のＲＡＭ１０２もしくはＨＤＤ１０４に保存する。その際、切り替えられたオリジナルのメンテナンス動画は復元時に使用するため、ＲＡＭ１０２もしくはＨＤＤ１０４に保存する。
【０３９３】
また、切り替えられたオリジナルのメンテナンス動画を、他のユーザ登録動画と同様に管理できるよう、サーバ２００のＲＡＭ２０２もしくはＨＤＤ２０４のユーザ登録動画の格納領域に保存し、図５２に示すユーザ登録動画管理テーブルに登録してもよい。こうすることにより、オリジナルのメンテナンス動画か、ユーザ登録動画かを区別することなく、統一した管理が可能となる。
【０３９４】
また、上記では、複合機１００側でメンテナンス動画を格納、管理している例として説明したが、サーバ２００側でメンテナンス動画を格納、管理する構成であってもよい。その場合、選択されたユーザ登録動画を新たなメンテナンス動画としてサーバ２００のＲＡＭ２０２もしくはＨＤＤ２０４に保存する。また、切り替えられたオリジナルのメンテナンス動画は復元時に使用するため、ＲＡＭ２０２もしくはＨＤＤ２０４に保存する。
【０３９５】
以上で第７の実施形態のメンテナンス動画・ユーザ登録動画自動切替設定処理を終了する。
【０３９６】
以上、実施形態例を詳述したが、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【０３９７】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０３９８】
なお、本発明におけるプログラムは、各装置の処理方法ごとのプログラムであってもよい。
【０３９９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０４００】
この場合、記録媒体から読み出されたプログラム自体が本発明の新規な機能を実現することになり、そのプログラムを記憶した記録媒体は本発明を構成することになる。
【０４０１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０４０２】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０４０３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０４０４】
また、本発明は、複数の機器から構成されるシステムに適用しても、１つの機器からなる装置に適用してもよい。
【０４０５】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０４０６】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０４０７】
１００    複合機
１５０    ＬＡＮ
２００    サーバ
１０１    ＣＰＵ
１０２    ＲＡＭ
１０３    ＲＯＭ
１０４    ＨＤＤ
１０５    Ｎｅｔｗｏｒｋ  Ｉ／Ｆ
１０６    外部Ｉ／Ｆ
１０７    操作部Ｉ／Ｆ
１０８    操作部
１１０    ＲＩＰ
１１１    プリンタＩ／Ｆ
１１２    プリンタ部
１１５    カメラ
１１６    コントローラユニット
１１７    外部Ｉ／Ｆ
１１９    ディスプレイ
１２０    Ｉｍａｇｅ  ＢＵＳ  Ｉ／Ｆ
１２２    画像処理部
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    入力装置
２１０    表示装置
２１１    外部メモリ
【図１】
2016092550.tif 000003
【図２】
2016092550.tif 000004
【図３】
2016092550.tif 000005
【図４】
2016092550.tif 000006
【図５】
2016092550.tif 000007
【図６】
2016092550.tif 000008
【図７】
2016092550.tif 000009
【図８】
2016092550.tif 000010
【図９】
2016092550.tif 000011
【図１０】
2016092550.tif 000012
【図１１】
2016092550.tif 000013
【図１２】
2016092550.tif 000014
【図１３】
2016092550.tif 000015
【図１４】
2016092550.tif 000016
【図１５】
2016092550.tif 000017
【図１６】
2016092550.tif 000018
【図１７】
2016092550.tif 000019
【図１８】
2016092550.tif 000020
【図１９】
2016092550.tif 000021
【図２０】
2016092550.tif 000022
【図２１】
2016092550.tif 000023
【図２２】
2016092550.tif 000024
【図２３】
2016092550.tif 000025
【図２４】
2016092550.tif 000026
【図２５】
2016092550.tif 000027
【図２６】
2016092550.tif 000028
【図２７】
2016092550.tif 000029
【図２８】
2016092550.tif 000030
【図２９】
2016092550.tif 000031
【図３０】
2016092550.tif 000032
【図３１】
2016092550.tif 000033
【図３２】
2016092550.tif 000034
【図３３】
2016092550.tif 000035
【図３４】
2016092550.tif 000036
【図３５】
2016092550.tif 000037
【図３６】
2016092550.tif 000038
【図３７】
2016092550.tif 000039
【図３８】
2016092550.tif 000040
【図３９】
2016092550.tif 000041
【図４０】
2016092550.tif 000042
【図４１】
2016092550.tif 000043
【図４２】
2016092550.tif 000044
【図４３】
2016092550.tif 000045
【図４４】
2016092550.tif 000046
【図４５】
2016092550.tif 000047
【図４６】
2016092550.tif 000048
【図４７】
2016092550.tif 000049
【図４８】
2016092550.tif 000050
【図４９】
2016092550.tif 000051
【図５０】
2016092550.tif 000052
【図５１】
2016092550.tif 000053
【図５２】
2016092550.tif 000054